(57)【特許請求の範囲】
【請求項１】
並継、逆並継又はインロー継によって２箇所以上継合わされる継式釣竿であって、各雄側継合部の先部が、雌側継合部内面と主として押圧し合う領域である雄側継合部の主継合部のテーパに比べて大きなテーパの先細状に形成されており、竿元寄りの継合部では、竿先寄りの継合部に比べて前記先部の長さが長くてテーパが同等又は小さいことを特徴とする継式釣竿。
【請求項２】
前記各雄側継合部の先細状先部の、その先端部を除外する外形状は概ね直線状傾斜であり、継ぎ合わせられた状態での該略直線状傾斜の先端位置と雌側継合部内面とは、大撓み時に概ね当接する程度の隙間であり、この条件の範囲で該隙間は竿元寄りでは竿先寄りに比べて大きい請求項１記載の継式釣竿。
【発明の詳細な説明】
【０００１】
【発明の属する技術分野】
本発明は、振出式継合以外の、並継、逆並継又はインロー継の継合部を２箇所以上有する継式釣竿に関する。
【０００２】
【従来の技術】
本出願人による特開平１１−１１３４５６号公報等により、雄側継合部先部を先細化させて、継ぎ合わせ操作時の案内作用をさせる釣竿は従来から公知である。
【０００３】
【発明が解決しようとする課題】
然しながら、竿先寄りの継ぎ合わせ作業では、雄側継合部先端が雌側継合部入口に一旦入れば、竿先寄りの竿杆は軽量であるため、そのまま雄側継合部全体を雌側に挿入し終えることは容易であるが、竿元寄りの継ぎ合わせ作業においては、一般に既に竿先側の各竿杆が継ぎ合わせられているため、継ぎ合わせられる側が長くて重い。従って、一旦、雄側継合部先端が雌側継合部入口に入っても、その後の挿入作業では、挿入される側がふらふらして不安定になり易く、竿先寄り領域での継ぎ合わせと比べれば挿入作業が容易迅速ではない。
【０００４】
また、継ぎ合わせた雄側継合部先部と、雌側継合部内面との間に隙間があれば、釣竿が撓み変形を受けた際に、雄側継合部先部が雌側継合部内面に擦れたり離れたりして、所謂、鳴きが生ずる。釣竿は竿先側程よく撓み、竿元側程撓みは小さいので、この鳴きは、竿先寄りの継合部程生じ易い。
依って本発明は、継ぎ合わせ作業が容易になると共に、鳴きを防止できる継式釣竿の提供を目的とする。また、この目的に加え、大撓み時の釣竿破損を防止することを目的とする。
【０００５】
【課題を解決するための手段】
上記目的に鑑みて本発明は、並継、逆並継又はインロー継によって２箇所以上継合わされる継式釣竿であって、各雄側継合部の先部が、雌側継合部内面と主として押圧し合う領域である雄側継合部の主継合部のテーパに比べて大きなテーパの先細状に形成されており、竿元寄りの継合部では、竿先寄りの継合部に比べて前記先部の長さが長くてテーパが同等又は小さいことを特徴とする継式釣竿を提供する。
【０００６】
既述の如く、挿入容易さの観点では、竿元寄りの継ぎ合わせでは重くて長いものを扱うため、竿先寄りの継合部先部と比較して竿元寄りの継合部の先細状先部を長くしており、深く挿入するまで案内作用ができる。従って、挿入方向が定まり、継ぎ合わせ操作が容易になる。然しながら、テーパが大きければ、雄側継合部の先部と雌側継合部の内面との間に大きな隙間が生じ、挿入初期に案内方向が定まらず、実質的に案内部としての作用を果たせない。従って、竿元寄りでは先部のテーパを竿先寄りと同等か或いはより小さく構成している。一方、竿先寄りでは扱う竿杆が軽量であるため、案内部となる先部が短くてテーパが同等又は大きくても、雌側継合部入口への挿入は容易であり、例えその後の案内作用が充分働かなくても容易に継ぎ合わせできる。
鳴きの観点からは、竿元寄りの継合部では先部が長くてテーパが同等又は小さいとは言っても、雌側継合部の内面との間に隙間があり、この隙間領域が長いが、竿元寄り領域は殆ど撓まないため、鳴きの発生には至らない。一方、竿先寄りでは大きく撓むが、竿元寄りと比較して先部を短くしているため鳴きの発生が防止され易い。
【０００７】
請求項２では、前記各雄側継合部の先細状先部の、その先端部を除外する外形状は概ね直線状傾斜であり、継ぎ合わせられた状態での該略直線状傾斜の先端位置と雌側継合部内面とは、大撓み時に概ね当接する程度の隙間であり、この条件の範囲で該隙間は竿元寄りでは竿先寄りに比べて大きい請求項１記載の継式釣竿を提供する。
請求項１の作用効果を奏する他、大撓み時に略直線状傾斜形状である先部も雌側継合部内面に概ね当接するので、主継合部の先端位置に対応する雌側継合部に応力集中が生じることが防止され、釣竿破損が防止される。この当接条件範囲で竿元寄りの隙間寸法が大きいと、竿元寄りにおいて重い雄側を雌側の入口開口部に挿入し始める際の作業が容易になる。
【０００８】
【発明の実施の形態】
以下、本発明を添付図面に示す実施形態例に基づき、更に詳細に説明する。
図１は本発明に係る継式釣竿の全体図である。この例の釣竿は、元竿１０、中竿１２、穂持竿１４、穂先竿１６が、夫々、並継式に継ぎ合わせられている。従って、継合部は３箇所あり、竿先寄りから竿元寄りに従っていえば、雄側を穂先竿１６とし、雌側を穂持竿１４とする継合部Ｔ１、雄側を穂持竿１４とし、雌側を中竿１２とする継合部Ｔ２、雄側を中竿１２とし、雌側を元竿１０とする継合部Ｔ３である。
【０００９】
各継合における雌側継合部は管状部であるが、この継合部を有する竿杆自体は管状竿杆である必要はなく、中実竿杆でもよい。即ち、各竿杆１０，１２，１４，１６は中空竿杆でも中実竿杆でもよい。また、この実施形態例では、各竿杆はエポキシ樹脂等の合成樹脂のマトリックスを、炭素繊維等の強化繊維で強化した繊維強化樹脂製であるが、その他の材料で形成されていてもよい。
任意の隣接竿杆同士Ａ，Ｂの継合部近くの拡大縦断面図である図２を参照する。雌側竿杆Ａの雌側継合部ＡＴに、雄側竿杆Ｂの雄側継合部ＢＴを挿入継ぎ合わせしている。
【００１０】
雌側継合部ＡＴの内面ＡＴＳは、緩いテーパの前広がり部を入口部から有している。一方、雄側継合部ＢＴは、概ね前記前広がり部と押圧し合う領域である主継合部ＢＭと、その先（この先とは、継合部の端方向の意味）の先部ＢＥとを有している。主継合部ＢＭの外周ＢＭＳは釣竿後方に向かって細くなる緩いテーパに形成されており、先部ＢＥの面取先端部ＢＳを除く外周ＢＥＳは略直線状傾斜の、より大きなテーパの先細状に形成されている。先細状とは、並継式であるため、釣竿の後方に向かって細く形成されているが、逆並継式であれば、釣竿の前方に向かって細くなる。主継合部と先部の境界の直径Ｄ２よりも、継合部端部付近の直径Ｄ３（先部ＢＥの先端部ＢＳを除いた先端位置Ｐ１の直径）を小さくするのである。
【００１１】
継合部Ｔ２は竿先寄りの継合部Ｔ１よりも前記先部ＢＥが長くてそのテーパも同等か小さい。また、継合部Ｔ３は竿先寄りの継合部Ｔ２よりも前記先部ＢＥが長くてそのテーパは同等か小さい。テーパの大小は、先部ＢＥの外周ＢＥＳの母線が概ね直線状に形成されている場合は、直径差（Ｄ２−Ｄ３）をＢＥ部の長さで除した値のテーパ率の大小で判定するが、例えば楕円状等の曲線の場合は、縦断面図での雌側継合部内面との図２にハッチング入りで示す片側の隙間面積Ｓを４倍し、これを先部ＢＥ長さの２乗で除した値、即ち、平均的な意味でのテーパ率の大小で判定する。
【００１２】
先端部ＢＳを除く先部ＢＥの外周ＢＥＳの母線が直線状の場合の１例として、竿先寄りの継合部からＴ１，Ｔ２，Ｔ３の順序でいえば、主継合部ＢＭの長さは４０，５０，６０ｍｍであり、先部ＢＥの長さは２．５，４．０，７．５ｍｍであり、テーパ率は、１４０／１０００，７０／１０００，７０／１０００であり、一部に同等のテーパ率がある。また、各継合部における位置Ｐ１での雄側継合部の直径Ｄ３（ｍｍ）と、対応位置での雌側継合部内側直径Ｄ４（ｍｍ）と、それらの差の半分（隙間寸法）をδ（ｍｍ）とすれば以下の如くである。
0004311599.tif 000002
即ち、隙間δは順次竿元寄りが大きくなっているが、これらの隙間では、大撓み時に雄側竿杆ＢのＰ１部位は、雌側竿杆Ａの内面に概ね接触する。
【００１３】
竿元寄りの継合部では、その先部ＢＥのテーパを竿先寄りのそれよりも小さくすると共に長く形成し、しかも、継合部端部付近の直径Ｄ３を雌側継合部入口部位の開口直径、即ち、継ぎ合わせた雄側継合部の対応位置の直径Ｄ１で除した値を大きくすることが、継ぎ合わせ作業時に方向が定まって案内され易く好ましい。
【００１４】
【発明の効果】
以上の説明から明らかなように本発明によれば、継ぎ合わせ作業が容易になると共に、鳴きを防止できる継式釣竿が提供可能となる。
【図面の簡単な説明】
【図１】図１は本発明に係る継式釣竿の全体図である。
【図２】図２は任意の隣接竿杆同士の継合部近くの拡大縦断面図である。
【符号の説明】
ＡＴ                  雌側継合部
ＡＴＳ                雌側継合部内面
ＢＥ                  先部
ＢＭ                  主継合部
ＢＴ                  雄側継合部
Ｔ１，Ｔ２，Ｔ３      継合部
【図１】
0004311599.tif 000003
【図２】
0004311599.tif 000004